(57)【要約】【課題】小型化を図りつつディスプレイの表示面の占有スペースを確保する。【解決手段】撮像装置１００の本体側ケース５０とモニタ側ケース６０は、それらの長さ方向を合致させた非使用位置（イ）と、それらの長さ方向のなす角度が９０度となる使用位置（ロ）との間で第１の支軸Ｘ１を中心に揺動可能である。モニタ側ケース６０は、第１の支軸Ｘ１が位置する第１ケース６２と、第１ケース６２に対して第２の支軸Ｘ２の回りに揺動可能に結合された第２ケース６４とで構成されている。第１の支軸Ｘ１は、使用位置（ロ）で第２ケース６４が本体側ケース５０の幅方向の一方に位置する側部（左側面５０１０）の外側に位置するように本体側ケース５０の幅方向の中心から幅方向の一方に位置する側部（左側面５０１０）寄りに変位した箇所に位置している。【選択図】        図２
2006041602.tif 000002
【特許請求の範囲】
【請求項１】
厚さと、該厚さよりも大きい寸法の幅と、該幅よりも大きい寸法の長さを有する細長形状の本体側ケースと、
厚さと、該厚さよりも大きい寸法の幅と、該幅よりも大きい寸法の長さを有する細長形状のモニタ側ケースとを備え、
前記本体側ケースとモニタ側ケースとは、前記本体側ケースの厚さ方向の一方の面をなす内面と、前記モニタ側ケースの厚さ方向の一方の面をなす内面とが合わされて前記厚さ方向に延在する第１の支軸の回りに揺動可能に結合され、
前記モニタ側ケースは、前記第１の支軸が位置する第１ケースと、前記長さ方向に延在する第２の支軸を介して前記第１ケースに対して前記第２の支軸の回りに揺動可能に結合された第２ケースとでその長さ方向に分割されて構成され、
前記本体側ケースの厚さ方向の他方の面をなす外面にレンズ鏡筒が設けられ、
前記第２ケースの厚さ方向の一方の面をなす内面に前記レンズ鏡筒で撮像された画像を表示する表示面が設けられ、
前記本体側ケースとモニタ側ケースは、それらの長さ方向を合致させた非使用位置と、それらの長さ方向のなす角度が９０度となる使用位置との間で前記第１の支軸を中心に揺動し、
前記使用位置で前記第２ケースが前記本体側ケースの幅方向の一方に位置する側部の外側に位置するように前記第１の支軸は前記本体側ケースの幅方向の中心から変位した箇所に位置している、
ことを特徴とする撮像装置。
【請求項２】
前記モニタ側ケースは、前記本体側ケースと等しい寸法の幅と長さとを有し、前記非使用位置で、前記本体側ケースとモニタ側ケースの輪郭が重なることを特徴とする請求項１記載の撮像装置。
【請求項３】
前記第１の支軸は、前記本体側ケースおよびモニタ側ケースの長さ方向の一方の端部寄りの箇所に位置していることを特徴とする請求項１記載の撮像装置。
【請求項４】
前記第１の支軸は、前記本体側ケースおよびモニタ側ケースの長さ方向の一方の端部寄りの箇所に位置し、前記使用位置で前記モニタ側ケースの幅方向の一方に位置する側部と前記本体側ケースの長さ方向の一方に位置する端部とが重なることを特徴とする請求項１記載の撮像装置。
【請求項５】
前記第１ケースが前記第２ケースに臨む端部と、前記第２ケースが前記第１ケースに臨む端部は共に前記幅方向に沿って直線状に延在していることを特徴とする請求項１記載の撮像装置。
【請求項６】
前記第１の支軸は、前記本体側ケースおよびモニタ側ケースの長さ方向の一方の端部寄りの箇所に位置し、前記第１ケースが前記第２ケースに臨む端部と、前記第２ケースが前記第１ケースに臨む端部は共に前記幅方向に沿って直線状に延在し、前記使用位置で前記第２ケースに臨む前記第１ケースの端部は、前記本体側ケースの幅方向の一方に位置する側部の外側に位置し、前記第２ケースに臨む前記第１ケースの端部を除く前記第１ケースの残りの部分は前記本体側ケース上に位置していることを特徴とする請求項１記載の撮像装置。
【請求項７】
前記使用位置で、前記非使用位置において前記第２ケースが合わされた前記本体側ケースの内面の箇所と、前記非使用位置において前記第１ケースの幅方向の一方の側部が合わされた前記本体側ケースの内面の箇所とが露出し、これら箇所に撮像装置の動作にまつわる操作部材が設けられていることを特徴とする請求項１記載の撮像装置。
【請求項８】
前記第１ケースと第２ケースは同じ寸法の幅を有し、かつ、第２ケースの長さが第１ケースの長さよりも大きい寸法で形成されていることを特徴とする請求項１記載の撮像装置。
【請求項９】
前記第２の支軸は前記第１ケースおよび第２ケースの幅方向の中央を通るように設けられていることを特徴とする請求項１記載の撮像装置。
【請求項１０】
前記使用位置で、前記非使用位置において前記第２ケースが合わされた前記本体側ケースの内面の箇所と、前記非使用位置において前記第１ケースの幅方向の一方の側部が合わされた前記本体側ケースの内面の箇所とが露出し、これらの箇所は、前記本体側ケースの外縁に位置する外縁部とこの外縁部の内側に該外縁部よりも低い高さで設けられた底面部とで構成され、前記底面部には撮像装置の動作にまつわる操作部材が設けられていることを特徴とする請求項１記載の撮像装置。
【請求項１１】
厚さと、該厚さよりも大きい寸法の幅と、該幅よりも大きい寸法の長さを有する細長形状の本体側ケースと、
厚さと、該厚さよりも大きい寸法の幅と、該幅よりも大きい寸法の長さを有する細長形状のモニタ側ケースとを備えた携帯電話機であって、
前記本体側ケースとモニタ側ケースとは、前記本体側ケースの厚さ方向の一方の面をなす内面と、前記モニタ側ケースの厚さ方向の一方の面をなす内面とが合わされて前記厚さ方向に延在する第１の支軸の回りに揺動可能に結合され、
前記モニタ側ケースは、前記第１の支軸が位置する第１ケースと、前記長さ方向に延在する第２の支軸を介して前記第１ケースに対して前記第２の支軸の回りに揺動可能に結合された第２ケースとでその長さ方向に分割されて構成され、
前記本体側ケースとモニタ側ケースは、それらの長さ方向を合致させた非使用位置と、それらの長さ方向のなす角度が９０度となる使用位置との間で前記第１の支軸を中心に揺動し、
前記本体側ケースの厚さ方向の他方の面をなす外面にレンズ鏡筒が設けられ、前記本体側ケースの厚さ方向の他方の面をなす内面で前記使用位置で露出する箇所に前記携帯電話機の動作にまつわる操作部材が設けられ、
前記第２ケースの厚さ方向の一方の面をなす内面に前記レンズ鏡筒で撮像された画像を表示する表示面が設けられ、
前記使用位置で前記第２ケースが前記本体側ケースの幅方向の一方に位置する側部の外側に位置するように前記第１の支軸は前記本体側ケースの幅方向の中心から変位した箇所に位置している、
ことを特徴とする携帯電話機。
【請求項１２】
前記本体側ケースの内面で前記第１の支軸とは反対に位置する前記長さ方向の端部にマイクが配設され、前記第１ケースの厚さ方向の他方の面をなす外面にスピーカが配設されていることを特徴とする請求項１１記載の携帯電話機。
【発明の詳細な説明】
【技術分野】
【０００１】
本発明は撮像装置に関する。
【背景技術】
【０００２】
数字ボタンや操作ボタンが設けられた細長の矩形板状の本体側ケースに対して、ディスプレイが設けられた細長の矩形板状のモニタ側ケースが、本体側ケースおよびモニタ側ケースの長手方向と直交する方向に延在する支軸を介して揺動可能に結合され、使用時にはモニタ側ケースを本体側ケースに対して開き、非使用時にはモニタ側ケースを本体側ケースに対して閉じて重ね合わせるようにしたいわゆる折りたたみ式携帯電話機がある。そして、このような携帯電話機に組み込まれた撮像装置が提供されている（例えば特許文献１参照）。
【特許文献１】特開２００３−１１０８９５号公報
【発明の開示】
【発明が解決しようとする課題】
【０００３】
しかしながら、前記撮像装置では、レンズ鏡筒とディスプレイの双方がモニタ側ケースに設けられているため、レンズ鏡筒の向きとディスプレイの表示面の向きを独立して設定することができない。そのため、レンズ鏡筒をユーザーの頭部よりも高い位置に位置させたハイアングル撮影や、レンズ鏡筒をユーザーの頭部よりも低い位置に位置させたローアングル撮影を行おうとすると、表示面をユーザーに向けることが難しく使い勝手に劣る面がある。
このような課題を解決するために、本体側ケースとモニタ側ケースの配置や連結機構を工夫することでレンズ鏡筒の向きと表示面の向きを独立して設定できる撮像装置が提案されている。
一方、このような撮像装置に対して携帯性や使い勝手の向上が要求されており、如何に小型化を図りつつディスプレイの表示面を大きくするかが大きな課題となっている。
本発明はこのような事情に鑑みなされたもので、その目的は小型化を図りつつディスプレイの表示面の占有スペースを確保する上で有利な撮像装置および携帯電話機を提供することにある。
【課題を解決するための手段】
【０００４】
上述の目的を達成するため、本発明の撮像装置は、厚さと、該厚さよりも大きい寸法の幅と、該幅よりも大きい寸法の長さを有する細長形状の本体側ケースと、厚さと、該厚さよりも大きい寸法の幅と、該幅よりも大きい寸法の長さを有する細長形状のモニタ側ケースとを備え、前記本体側ケースとモニタ側ケースとは、前記本体側ケースの厚さ方向の一方の面をなす内面と、前記モニタ側ケースの厚さ方向の一方の面をなす内面とが合わされて前記厚さ方向に延在する第１の支軸の回りに揺動可能に結合され、前記モニタ側ケースは、前記第１の支軸が位置する第１ケースと、前記長さ方向に延在する第２の支軸を介して前記第１ケースに対して前記第２の支軸の回りに揺動可能に結合された第２ケースとでその長さ方向に分割されて構成され、前記本体側ケースの厚さ方向の他方の面をなす外面にレンズ鏡筒が設けられ、前記第２ケースの厚さ方向の一方の面をなす内面に前記レンズ鏡筒で撮像された画像を表示する表示面が設けられ、前記本体側ケースとモニタ側ケースは、それらの長さ方向を合致させた非使用位置と、それらの長さ方向のなす角度が９０度となる使用位置との間で前記第１の支軸を中心に揺動し、前記使用位置で前記第２ケースが前記本体側ケースの幅方向の一方に位置する側部の外側に位置するように前記第１の支軸は前記本体側ケースの幅方向の中心から変位した箇所に位置していることを特徴とする。
また、本発明の携帯電話機は、厚さと、該厚さよりも大きい寸法の幅と、該幅よりも大きい寸法の長さを有する細長形状の本体側ケースと、厚さと、該厚さよりも大きい寸法の幅と、該幅よりも大きい寸法の長さを有する細長形状のモニタ側ケースとを備えた携帯電話機であって、前記本体側ケースとモニタ側ケースとは、前記本体側ケースの厚さ方向の一方の面をなす内面と、前記モニタ側ケースの厚さ方向の一方の面をなす内面とが合わされて前記厚さ方向に延在する第１の支軸の回りに揺動可能に結合され、前記モニタ側ケースは、前記第１の支軸が位置する第１ケースと、前記長さ方向に延在する第２の支軸を介して前記第１ケースに対して前記第２の支軸の回りに揺動可能に結合された第２ケースとでその長さ方向に分割されて構成され、前記本体側ケースとモニタ側ケースは、それらの長さ方向を合致させた非使用位置と、それらの長さ方向のなす角度が９０度となる使用位置との間で前記第１の支軸を中心に揺動し、前記本体側ケースの厚さ方向の他方の面をなす外面にレンズ鏡筒が設けられ、前記本体側ケースの厚さ方向の他方の面をなす内面で前記使用位置で露出する箇所に前記携帯電話機の動作にまつわる操作部材が設けられ、前記第２ケースの厚さ方向の一方の面をなす内面に前記レンズ鏡筒で撮像された画像を表示する表示面が設けられ、前記使用位置で前記第２ケースが前記本体側ケースの幅方向の一方に位置する側部の外側に位置するように前記第１の支軸は前記本体側ケースの幅方向の中心から変位した箇所に位置していることを特徴とする。
【発明の効果】
【０００５】
そのため、本発明によれば、モニタ側ケースを使用位置に位置させた状態で、第２ケースが本体側ケースの幅方向の一方に位置する側部の外側に位置するように、第１の支軸が本体側ケースの幅方向の中心から幅方向の一方に位置する側部寄りに変位した箇所に位置しているので、第１の支軸を本体側ケースの幅方向の中心に設けた場合に比べて、第２ケースの長さ方向の寸法を大きく設定することができる。
このため、表示面の第２ケースの長さ方向の寸法を大きく確保でき、本体側ケースおよびモニタ側ケースの小型化を図りつつ表示面の占有スペースを確保する上で有利となる。
【発明を実施するための最良の形態】
【０００６】
小型化を図りつつディスプレイの表示面の占有スペースを確保するという目的を、第１の支軸を本体側ケースの幅方向の中心から変位した箇所に位置させることによって実現した。
【実施例１】
【０００７】
次に本発明の実施例１について図面を参照して説明する。
図１（Ａ）は実施例１の撮像装置の正面図、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視図、図２（Ｆ）は図１（Ｃ）のＦ矢視図、（Ｇ）は（Ｆ）におけるモニタ側ケースが９０度揺動された状態を示す図である。
図３（Ａ）は実施例１の撮像装置を斜め前方から見た斜視図、（Ｂ）は（Ａ）のＢ部分の拡大斜視図、図４は実施例１の撮像装置を斜め前方から見た斜視図、図５は図３を正面から見た正面図、図６は図３を背面から見た背面図、図７は図３を斜め後方から見た斜視図、図８は図３を斜め後方から見た斜視図、図９（Ａ）、（Ｂ）はモニタ側ケースを回動した状態を示す説明図、図１０（Ａ）、（Ｂ）は本体側ケース用の保護部材の説明図、図１１（Ａ）、（Ｂ）はモニタ側ケースの斜視図、図１２は撮像装置の制御系を示すブロック図である。
【０００８】
図１２に示すように、本実施例の撮像装置１００は、撮影光学系１４が組み込まれたレンズ鏡筒１０と、撮影光学系１４によって結像された被写体像を撮像するＣＣＤやＣＭＯＳセンサなどで構成された撮像素子１５０などを備え、撮像装置１００は、撮像素子１５０から出力された撮像信号に基づいて画像データを生成し、記憶媒体１５２に記録する画像処理部１５４、前記画像データを表示パネル１２６に表示させる表示処理部１５６、撮影光学系１４の撮影倍率を変化させるズーム駆動部１５８、制御部１６０などを備えている。
制御部１６０は、シャッターボタン１１０、操作スイッチ１１２、撮影開始／停止ボタン１１４、十字キースイッチ１１６、複数の操作スイッチ１１８、リセットスイッチ１２０、複数の操作スイッチ１２８の操作に基づいて画像処理部１５４、表示処理部１５６、ズーム駆動部１５８を制御するＣＰＵなどを含んでいる。
【０００９】
図１、図２に示すように、撮像装置１００は、外装を構成する本体側ケース５０とモニタ側ケース６０を備えている。なお、本明細書において本体側ケース５０の左右は本体側ケース５０を後方から見た状態でいうものとする。
本体側ケース５０は、前後方向の厚さと、該厚さよりも大きい寸法の幅と、該幅よりも大きい寸法の長さを有する細長形状を呈し本実施例では細長の矩形板状を呈している。
モニタ側ケース６０は、前後方向の厚さと、該厚さよりも大きい寸法の幅と、該幅よりも大きい寸法の長さを有する細長の矩形板状を呈し、本実施例では本体側ケース５０と等しい寸法の幅と長さで形成されている。
図２に示すように、本体側ケース５０とモニタ側ケース６０とは本体側ケース５０の厚さ方向の一方の面である内面とモニタ側ケース６０の一方の面である内面とが合わされてその厚さ方向に延在する第１の支軸Ｘ１の回りに揺動可能に結合されている。
本体側ケース５０とモニタ側ケース６０は、図２（Ｆ）に示すように、それらの長さ方向を合致させた非使用位置（イ）と、図２（Ｇ）に示すように、それらの長さ方向のなす角度が９０度となる使用位置（ロ）との間で第１の支軸Ｘ１を中心に揺動可能である。
本実施例では、モニタ側ケース６０は、非使用位置（イ）で、本体側ケース５０の輪郭と重なるように構成されている。
モニタ側ケース６０は、第１の支軸Ｘ１が位置する第１ケース６２と、前記長さ方向に延在する第２の支軸Ｘ２を介して第１ケース６２に対して第２の支軸Ｘ２の回りに揺動可能に結合された第２ケース６４とでその長さ方向に分割されて構成されている。
【００１０】
図３〜図５に示すように、本体側ケース５０は、厚さ方向の一方の面をなす内面５００４と、厚さ方向の他方の面をなす外面５００２と、長さ方向の一方の端面をなす上面５００６と、長さ方向の他方の端面をなす下面５００８と、幅方向の一方の側面をなす左側面５０１０、幅方向の他方の側面をなす右側面５０１２とを有している。
本体側ケース５０の外面５００２の上部の幅方向中央には、前方に臨ませてレンズ鏡筒１０が設けられている。
レンズ鏡筒１０は、鏡筒１２と、鏡筒１２に保持された撮影光学系１４と、撮像素子３０（図１２参照）とを含んで構成され、本実施例では撮影光学系１４は撮影倍率（ズーム比）が広角側と望遠側の間で連続的に可変されるズーミングレンズとして構成されている。
本体側ケース５０の外面５００２上部の右寄りの箇所には閃光を発光するフラッシュ部１０６、測距用の補助光を発光する発光部１０８が設けられている。
本体側ケース５０の上面５００６には、ストラップの取り付け紐が取着されるストラップ取着部５０１４が設けられている。
図１（Ｅ）に示すように、本体側ケース５０の下面５００８の左寄り箇所には三脚取り付けねじ５０１６が設けられている。三脚取り付けねじ５０１６の右側にはバッテリー収容室（不図示）が配設されその開口を開閉する開閉蓋５０１８が設けられている。
図３に示すように、本体側ケース５０の左側面５０１０の下部寄りの箇所には、外部装置との間で信号を授受するためのコネクタ（不図示）を収容する凹部５０１９が設けられ、該凹部を開閉する開閉蓋５０２２が設けられている。
【００１１】
図６、図７に示すように、使用位置（ロ）で、非使用位置（イ）において第２ケース６４が合わされた本体側ケース５０の内面５００４の箇所と、非使用位置（イ）において第１ケース６２の幅方向の一方の側部が合わされた本体側ケース５０の内面５００４の箇所とが露出し、これらの箇所は、本体側ケース５０の外縁に位置する外縁部５０２０とこの外縁部５０２０の内側に該外縁部５０２０よりも低い高さで設けられた底面部５０２２とで構成され、底面部５０２２には撮像装置１００の動作にまつわる操作部材が設けられている。
詳細に説明すると、非使用位置（イ）において第２ケース６４が合わされる本体側ケース５０の内面５００４箇所は、使用位置（ロ）において露出し、この露出する箇所の底面部５０２２には、静止画を撮影する際に操作するシャッターボタン１１０と、撮影光学系１４のズーム操作を行うための操作スイッチ１１２と、動画を撮影する際に操作する撮影開始／停止ボタン１１４がこの順番で左から右に向かって並べられている。
また、前記露出する底面部５０２２の下部には、静止画あるいは動画の撮影および再生にまつわる操作を行う十字キースイッチ１１６、複数の操作スイッチ１１８が設けられている。
また、非使用位置（イ）において第１ケース６２の幅方向の一方の側部が合わされた本体側ケース５０の内面５００４の箇所は使用位置（ロ）で露出し、この露出する底面部５０２２の箇所には、すなわち、本体側ケース５０の内面５００４の上部右寄り箇所には、この撮像装置１００の制御を司る制御部１３６（図１２参照）の動作を強制的に初期化する際に使用されるリセットスイッチ１２０が設けられている。
本実施例では、これらシャッターボタン１１０、操作スイッチ１１２、撮影開始／停止ボタン１１４、十字キースイッチ１１６、複数の操作スイッチ１１８、リセットスイッチ１２０が特許請求の範囲の操作部材に相当している。
【００１２】
図６〜９（Ａ），（Ｂ）に示すように、外縁部５０２０は、底面部５０２２よりも突出形成され、底面部５０２２は外縁部５０２０よりも低い平坦な平面として形成され、この底面部５０２２と外縁部５０２０とは湾曲面で接続されている。
また、本実施例では、外縁部５０２０は本体側ケース５０とは別の部材により形成され、本体側ケース５０の内面の外縁に設けられた溝に挿入され固定されている。この外縁部５０２０を構成する部材は、図１０（Ａ）、（Ｂ）に示すように、摩擦係数が低くかつ柔軟性を有するエストラマーで構成された第１の縁部材５２０２と、ＡＢＳ樹脂で構成された第２の縁部材５２０４とが重ね合わされて前記第１の縁部材５２０２が内面５００４に突出するように前記溝に例えば接着剤などにより接着されることで配置されている。
外縁部５０２０は、この外縁部５０２０に臨むモニタ側ケース６０の部分、すなわち第２ケース６４の内面６４０４に接触することで、モニタ側ケース６０の回動を円滑に案内し、また、モニタ側ケース６０と本体側ケース５０の損傷を防止している。
また、内面５００４に設けられたシャッターボタン１１０、操作スイッチ１１２、撮影開始／停止ボタン１１４、十字キースイッチ１１６、複数の操作スイッチ１１８の先端は外縁部５０２０よりも低い位置に位置するように設けられており、モニタ側ケース６０の内面６００４および外面６００２と接触して互いに損傷することが防止されている。
【００１３】
図２に示すように、モニタ側ケース６０はその長さ方向に分割され第１の支軸Ｘ１が通る第１ケース６２と、第１ケース６２に対してその長さ方向に延在する第２の支軸Ｘ２の回りに揺動可能に結合された第２ケース６４とで構成され、本実施例では第２の支軸Ｘ２は第１ケース６２および第２ケース６４の幅方向の中央を通るように設けられている。
第１ケース６２は、厚さ方向の一方の面をなす内面６２０２と、厚さ方向の他方の面をなす外面６２０４と、長さ方向の一方の端面をなす上面６２０６と、長さ方向の他方の端面をなす下面６２０８と、幅方向の一方の側面をなす左側面６２１０と、幅方向の他方の側面をなす右側面６２１２とを有している。
第２ケース６４は、厚さ方向の一方の面をなす内面６４０２と、厚さ方向の他方の面をなす外面６４０４と、長さ方向の一方の端面をなす上面６４０６と、長さ方向の他方の端面をなす下面６４０８と、幅方向の一方の側面をなす左側面６４１０と、幅方向の他方の側面をなす右側面６４１２とを有している。
第１ケース６２と第２ケース６４は同じ寸法の幅を有し、かつ、第２ケース６４の長さが第１ケース６２の長さよりも大きい寸法で形成されている。
第１ケース６２が第２ケース６４に臨む端部すなわち下面６２０８と、第２ケース６４が第１ケース７４に臨む端部すなわち上面６４０６は、非使用位置（イ）において、前後方向から見て共に前記幅方向に沿って直線状に延在している。
【００１４】
図２（Ａ）に示すように、第１ケース６２の外面６２０４には、録音用のマイク１２２が外方に臨ませて設けられている。
図２（Ａ），図３に示すように、第１ケース６２の左側面６２１０には、メモリカードから構成される記憶媒体１５２を装脱するメモリカードスロット１２４が設けられている。
図２、図６〜図８に示すように、第２ケース６４の内面６４０２には、長方形板状の表示パネル１２６が長辺を第２ケース６４の長さ方向と平行させ、短辺を第２ケース６４の幅方向と平行させた状態で設けられている。
表示パネル１２６は、例えば液晶表示器で構成され、レンズ鏡筒１０で撮像した静止画および動画などの画像や文字や記号などが表示される長方形状の表示面１２６Ａを第２ケース６４の内面６４０２に開設された矩形状の開口を介して第２ケース６４の外方に臨ませて配設されている。
図２（Ｇ）に示すように、第２ケース６４の内面６４０２のうち下部寄り箇所には幅方向に沿って、撮影あるいは画像の再生にまつわる操作を行うための複数の操作スイッチ１２８が設けられている。
図２（Ｆ）に示すように、第２ケース６４の外面６４０４にはスピーカー１３０が設けられている。
図１１に示すように、第２ケース６４のうち、下面６４０８の幅方向の両側に位置する隅部６４２０は、少なくとも、合成樹脂材料で構成され、本体側ケース５０の内面５００４に接触しても損傷を与えないように構成されている。
【００１５】
次に、本体側ケース５０とモニタ側ケース６０について詳細に説明する。
図２（Ｆ）、（Ｇ）に示すように、第１の支軸Ｘ１は本体側ケース５０およびモニタ側ケース６０の長さ方向の一方の端部寄り箇所、すなわち上面５００６、６２０６寄り箇所に設けられている。
そして、使用位置（ロ）でモニタ側ケース６０の幅方向の一方に位置する側部（左側面６２１０）と本体側ケース５０の長さ方向の一方に位置する端部（上面５００６）とが、前後方向から見てそれらの輪郭が重なるように構成されている。
また、第１の支軸Ｘ１は、使用位置（ロ）で第２ケース６４が本体側ケース５０の幅方向の一方に位置する側部（左側面５０１０）の外側に位置するように本体側ケース５０の幅方向の中心から幅方向の一方に位置する側部（左側面５０１０）寄りに変位した箇所に位置している。
また、使用位置（ロ）で第２ケース６４に臨む第１ケース６２の端部（上面５００６）は、本体側ケース５０の幅方向の一方に位置する側部（左側面５０１０）の外側に位置し、第２ケース６４に臨む第１ケース６２の端部を除く第１ケース６２の残りの部分は本体側ケース５０上に位置している。
【００１６】
次に本実施例における撮像装置１００の使用方法について説明する。
撮像装置１００を用いて撮影を行う場合について説明する。
図２（Ｆ）に示すように、予め、モニタ側ケース６０が非使用位置（イ）に位置しているものとする。
ユーザーは、本体側ケース５０を一方の手で保持し、モニタ側ケース６０を他方の手で保持し、図２（Ｇ）に示すように、モニタ側ケース６０を非使用位置（イ）から使用位置（ロ）まで回動させる。
そして、本体側ケース５０の内面５００４をユーザーに向けた状態で本体側ケース５０の下半部を一方の手で把持し、モニタ側ケース６０の第２ケース６４を回動させ表示面１２６Ａをユーザーの方に向ける。
この状態で、撮影光学系１４を被写体に向け、表示面１２６Ａに表示される被写体像を視認しつつシャッターボタン１１０あるいは撮影開始／停止ボタン１１４を操作して撮影を行う。
この際、ユーザーは、第２ケース６４を第２の支軸Ｘ２回りに回動させることで表示面１２６Ａを所望の方向に向けることができる。したがって、撮像装置１００をユーザーの頭部よりも高い位置に保持したハイアングルでの撮影時には表示面１２６Ａを斜め下方に向けることで表示面１２６Ａを容易に視認することができ、撮像装置１００をユーザーの頭部よりも低い位置に保持したローアングルでの撮影時には、表示面１２６Ａを斜め上方に向けることで表示面１２６Ａを容易に視認することができる。
また、第２ケース６４を第２の支軸Ｘ２回りに回動させることで表示面１２６Ａを撮影光学系１４と同一の方向（前方）に向ければ、ユーザーが表示面１２６Ａに表示される自分自身を視認しつつ撮影する、いわゆる自分撮りを行うことができる。
【００１７】
次に、表示面１２６Ａに画像を表示させる場合について説明する。
この場合には、上述したようにモニタ側ケース６０を使用位置（ロ）に位置させた状態で表示面１２６Ａに画像を表示させてもよいし、第２ケース６４を回動させ表示面１２６Ａを本体側ケース５０の内面５００４と反対側に向けた状態でモニタ側ケース６０を非使用位置（イ）に位置させた状態で表示面１２６Ａに画像を表示させてもよい。
【００１８】
次に、撮像装置１００を使用位置（ロ）から非使用位置（イ）にする場合について説明する。
ユーザーは、本体側ケース５０を一方の手で保持し、モニタ側ケース６０の第２ケース６４を他方の手で回動させ表示面１２６Ａを本体側ケース５０の内面５００４に臨ませる。
そして、モニタ側ケース６０を他方の手で非使用位置（イ）から使用位置（ロ）まで回動させる。これにより、本体側ケース５０とモニタ側ケース６０はそれらの輪郭が合致し携帯あるいは収納に適したコンパクトな状態となる。
【００１９】
次に本実施例の撮像装置１００の作用効果について説明する。
本実施例では、モニタ側ケース６０を使用位置（ロ）に位置させた状態で、第２ケース６４が本体側ケース５０の幅方向の一方に位置する側部（左側面５０１０）の外側に位置するように、第１の支軸Ｘ１が本体側ケース５０の幅方向の中心から幅方向の一方に位置する側部（左側面５０１０）寄りに変位した箇所に位置しているので、第１の支軸Ｘ１を本体側ケース５０の幅方向の中心に設けた場合に比べて、第２ケース６４の長さ方向の寸法を大きく設定することができる。
このため、表示パネル１２６の前記第２ケース６４の長さ方向の寸法を大きく確保でき、本体側ケース５０およびモニタ側ケース６０の小型化を図りつつ表示パネル１２６の表示面１２６Ａの占有スペースを確保する上で有利となる。
また、本実施例では、非使用位置（イ）でモニタ側ケース６０が本体側ケース５０の輪郭と重なるように構成されているので、非使用位置（イ）において本体側ケース５０とモニタ側ケース６０が占有するスペースを小型化する上で有利であり、また、美観を向上させる上でも有利である。
また、本実施例では、第１の支軸Ｘ１は、本体側ケース５０およびモニタ側ケース６０の長さ方向の一方の端部寄りの箇所に位置し、使用位置（ロ）でモニタ側ケース６０の幅方向の一方に位置する側部（左側面６２１０）と本体側ケース５０の長さ方向の一方に位置する端部（上面５００６）とが、前後方向から見てそれらの輪郭が重なるように構成されているので、使用位置（ロ）においても本体側ケース５０とモニタ側ケース６０が占有するスペースを小型化する上で有利であり、また、美観を向上させる上でも有利である。
また、本実施例では、図６、図７に示すように、非使用位置（イ）において第２ケース６４が合わされる本体側ケース５０の内面５００４箇所で、使用位置（ロ）において露出し、この露出する箇所に、シャッターボタン１１０、操作スイッチ１１２、撮影開始／停止ボタン１１４、十字キースイッチ１１６、複数の操作スイッチ１１８が設けられているので、モニタ側ケース６０を非使用位置（イ）に位置させた状態でこれらの操作部材がモニタ側ケース６０により覆われることで誤操作が確実に防止される。
また、本実施例では、図６に示すように、非使用位置（イ）において第１ケース６２の幅方向の一方の側部が合わされた本体側ケース５０の内面５００４の箇所で使用位置（イ）で露出する本体側ケース５０の内面５００４の上部右寄り箇所にデッドスペースが生じるが、このようなデッドスペースにリセットスイッチ１２０などの操作部材を設けることでデッドスペースを有効利用でき、ひいては撮像装置１００の小型化を図る上で有利となる。
【００２０】
なお、本実施例では、モニタ側ケース６０を非使用位置（イ）から使用位置（ロ）まで（あるいは使用位置（ロ）から非使用位置（イ）まで）回動するためには、モニタ側ケース６０の回動範囲全体にわたってモニタ側ケース６０を手で揺動させる必要がある。
しかしながら、モニタ側ケース６０を所定角度（例えば１０度）回動すると、自動的にモニタ側ケース６０が残りの角度（例えば８０度）を回動するように、本体側ケース５０とモニタ側ケース６０との間に従来公知のトグルばねなどを含む様々な機構を設けてもよく、この場合にはモニタ側ケース６０の回動操作を容易に行う上で有利となる。
また、本実施例では、撮像装置として静止画および動画の双方を撮影可能なものを例示したが、静止画および動画のいずれか一方を撮影するものであっても本発明は無論適用可能である。また、本発明は、撮像装置が組み込まれた携帯電話機にも無論適用可能である。
【実施例２】
【００２１】
次に撮像装置が組み込まれた携帯電話機について説明する。
図１３（Ａ）は携帯電話機の背面図、（Ｂ）は（Ａ）におけるモニタ側ケースが９０度揺動された状態を示す図、図１４は携帯電話機の制御系を示すブロック図である。
なお、上記の実施例１と同様の箇所、部材には同一の符号を付して説明する。
【００２２】
図１４に示すように、実施例２の携帯電話機２００は、撮像装置が組み込まれたカメラ付き携帯電話機であり、携帯電話機２００の機能を実現する携帯電話部を有し、この携帯電話部は、音声を入力する音声入力部２０２、音声を出力する音声出力部２０４、無線回線を介して音声信号あるいはデータ信号を送受信する送受信部２０６、数字、文字または記号などの入力あるいは携帯電話機の各種操作を行うためのキー入力部２０８、表示パネル１２６、制御部１６０、静止画を撮影する際に操作するシャッターボタン（不図示）と、撮影光学系１４（図１４参照）のズーム操作を行うための操作スイッチ（不図示）、動画を撮影する際に操作する撮影開始／停止ボタン（不図示）などを有している。
そして、制御部１６０は、キー入力部２０８の入力に基づいて送受信部２０６を制御して発信あるいは受信を行い、音声入力部２０２および音声出力部２０４を制御して通話を行う。また、制御部１６０は、キー入力部２０８によって入力された電話番号や文字などを表示パネル１２６に表示させる。
さらに携帯電話機２００は、実施例１と同様に、撮像装置を構成するレンズ鏡筒１０、撮像素子１５０、画像処理部１５４、表示処理部１５６、ズーム駆動部１５８などを備えている。
【００２３】
図１３（Ａ）、（Ｂ）に示すように、携帯電話機２００は、実施例１の撮像装置１００と同様な本体側ケース５０とモニタ側ケース６０を備え、本体側ケース５０とモニタ側ケース６０とは本体側ケース５０の厚さ方向の一方の面である内面とモニタ側ケース６０の一方の面である内面とが合わされてその厚さ方向に延在する第１の支軸Ｘ１の回りに揺動可能に結合されている。
本体側ケース５０とモニタ側ケース６０は、図１３（Ａ）に示すように、それらの長さ方向を合致させた非使用位置（イ）と、図１３（Ｂ）に示すように、それらの長さ方向のなす角度が９０度となる使用位置（ロ）との間で第１の支軸Ｘ１を中心に揺動可能である。
本実施例では、モニタ側ケース６０は、非使用位置（イ）で、本体側ケース５０の輪郭と重なるように構成されている。
モニタ側ケース６０は、第１の支軸Ｘ１が位置する第１ケース６２と、前記長さ方向に延在する第２の支軸Ｘ２を介して第１ケース６２に対して第２の支軸Ｘ２の回りに揺動可能に結合された第２ケース６４とでその長さ方向に分割されて構成されている。
【００２４】
本体側ケース５０の外面５００２の上部の幅方向中央には、前方に臨ませてレンズ鏡筒１０が設けられている。
レンズ鏡筒１０は、鏡筒１２と、鏡筒１２に保持された撮影光学系１４と、撮像素子３０とを含んで構成され、本実施例では撮影光学系１４は撮影倍率（ズーム比）が広角側と望遠側の間で連続的に可変されるズーミングレンズとして構成されている。
本体側ケース５０の外面５００２上部の右寄りの箇所には、実施例１と同様に、閃光を発光するフラッシュ部１０６、測距用の補助光を発光する発光部１０８（図１参照）が設けられている。
本体側ケース５０の上面５００６には、ストラップの取り付け紐が取着されるストラップ取着部５０１４が設けられている。
本体側ケース５０の下面５００８の左寄り箇所には三脚取り付けねじ５０１６（図１（Ｅ）参照）が設けられている。三脚取り付けねじ５０１６の右側にはバッテリー収容室（不図示）が配設されその開口を開閉する開閉蓋５０１８（図１（Ｅ）参照）が設けられている。
本体側ケース５０の左側面５０１０の下部寄りの箇所には、外部装置との間で信号を授受するためのコネクタ（不図示）を収容する凹部５０１９（図３参照）が設けられ、該凹部を開閉する開閉蓋５０２２（図３参照）が設けられている。
【００２５】
図１３に示すように、使用位置（ロ）で、非使用位置（イ）において第２ケース６４が合わされた本体側ケース５０の内面５００４の箇所と、非使用位置（イ）において第１ケース６２の幅方向の一方の側部が合わされた本体側ケース５０の内面５００４の箇所とが露出し、これらの箇所は、本体側ケース５０の外縁に位置する外縁部５０２０とこの外縁部５０２０の内側に該外縁部５０２０よりも低い高さで設けられた底面部５０２２とで構成され、底面部５０２２には携帯電話機２００の動作にまつわる操作部材としての複数のキーが設けられ、これら複数のキーによって前記キー入力部２０８が構成されている。また、底面部５０２２の下部には音声入力部２０２を構成するマイク２０２Ａが外方に臨ませて設けられている。
詳細に説明すると、非使用位置（イ）において第２ケース６４が合わされる本体側ケース５０の内面５００４箇所は、使用位置（ロ）において露出し、この露出する箇所の底面部５０２２には、前記複数のキーが設けられている。
また、非使用位置（イ）において第１ケース６２の幅方向の一方の側部が合わされた本体側ケース５０の内面５００４の箇所は使用位置（ロ）で露出し、この露出する底面部５０２２の箇所には、すなわち、本体側ケース５０の内面５００４の上部右寄り箇所には、この携帯電話機２００の制御を司る制御部１３６の動作を強制的に初期化する際に使用されるリセットスイッチ１２０が設けられている。
また、前記シャッターボタンと、撮影光学系１４のズーム操作を行うための前記操作スイッチと、前記撮影開始／停止ボタンは、本体側ケース５０の左側面５０１０あるいは右側面５０１２あるいは上面５００６あるいは底面部５０２２に設けられている。
本実施例では、前記複数のキー、リセットスイッチ１２０、前記シャッターボタン、前記操作スイッチ、前記撮影開始／停止ボタンが特許請求の範囲の操作部材に相当している。
【００２６】
実施例１と同様に、外縁部５０２０は、底面部５０２２よりも突出形成され、底面部５０２２は外縁部５０２０よりも低い平坦な平面として形成され、この底面部５０２２と外縁部５０２０とは湾曲面で接続されている。
また、本実施例では、外縁部５０２０は本体側ケース５０とは別の部材により形成され、本体側ケース５０の内面の外縁に設けられた溝に挿入され固定されている。この外縁部５０２０を構成する部材は、摩擦係数が低くかつ柔軟性を有するエストラマーで構成された第１の縁部材５２０２と、ＡＢＳ樹脂で構成された第２の縁部材５２０４とが重ね合わされて前記第１の縁部材５２０２が内面５００４に突出するように前記溝に例えば接着剤などにより接着されることで配置されている（図１０（Ａ）、（Ｂ）参照）。
外縁部５０２０は、この外縁部５０２０に臨むモニタ側ケース６０の部分、すなわち第２ケース６４の内面６４０４に接触することで、モニタ側ケース６０の回動を円滑に案内し、また、モニタ側ケース６０と本体側ケース５０の損傷を防止している。
また、底面部５０２２に設けられた前記キー、シャッターボタン、撮影開始／停止ボタンの先端は外縁部５０２０よりも低い位置に位置するように設けられており、モニタ側ケース６０の内面６００４および外面６００２と接触して互いに損傷することが防止されている。
【００２７】
図１３に示すように、モニタ側ケース６０はその長さ方向に分割され第１の支軸Ｘ１が通る第１ケース６２と、第１ケース６２に対してその長さ方向に延在する第２の支軸Ｘ２の回りに揺動可能に結合された第２ケース６４とで構成され、本実施例では第２の支軸Ｘ２は第１ケース６２および第２ケース６４の幅方向の中央を通るように設けられている。
第１ケース６２と第２ケース６４は同じ寸法の幅を有し、かつ、第２ケース６４の長さが第１ケース６２の長さよりも大きい寸法で形成されている。
第１ケース６２が第２ケース６４に臨む端部すなわち下面６２０８と、第２ケース６４が第１ケース７４に臨む端部すなわち上面６４０６は、非使用位置（イ）において、前後方向から見て共に前記幅方向に沿って直線状に延在している。
【００２８】
図１３（Ａ）に示すように、第１ケース６２の外面６２０４には、音声出力部２０４を構成するスピーカー２０４Ａが外方に臨ませて設けられている。
図２（Ａ），図３に示すように、第１ケース６２の左側面６２１０には、メモリカードから構成される記憶媒体１５２を装脱するメモリカードスロット１２４が設けられている。
図２に示すように、第２ケース６４の内面６４０２には、長方形板状の表示パネル１２６が長辺を第２ケース６４の長さ方向と平行させ、短辺を第２ケース６４の幅方向と平行させた状態で設けられている。
表示パネル１２６は、実施例１と同様に、長方形状の表示面１２６Ａを第２ケース６４の内面６４０２に開設された矩形状の開口を介して第２ケース６４の外方に臨ませて配設されている。
図１３（Ｂ）に示すように、第２ケース６４の内面６４０２のうち下部寄り箇所には幅方向に沿って、撮影あるいは画像の再生にまつわる操作を行うための複数の操作スイッチ１２８が設けられている。
図１３（Ａ）に示すように、第２ケース６４の外面６４０４にはスピーカー１３０が設けられている。
第２ケース６４のうち、下面６４０８の幅方向の両側に位置する隅部６４２０は、少なくとも、合成樹脂材料で構成され、本体側ケース５０の内面５００４に接触しても損傷を与えないように構成されている（図１１参照）。
【００２９】
次に、本体側ケース５０とモニタ側ケース６０について詳細に説明する。
図１３（Ａ）、（Ｂ）に示すように、第１の支軸Ｘ１は本体側ケース５０およびモニタ側ケース６０の長さ方向の一方の端部寄り箇所、すなわち上面５００６、６２０６寄り箇所に設けられている。
そして、使用位置（ロ）でモニタ側ケース６０の幅方向の一方に位置する側部（左側面６２１０）と本体側ケース５０の長さ方向の一方に位置する端部（上面５００６）とが、前後方向から見てそれらの輪郭が重なるように構成されている。
また、第１の支軸Ｘ１は、使用位置（ロ）で第２ケース６４が本体側ケース５０の幅方向の一方に位置する側部（左側面５０１０）の外側に位置するように本体側ケース５０の幅方向の中心から幅方向の一方に位置する側部（左側面５０１０）寄りに変位した箇所に位置している。
また、使用位置（ロ）で第２ケース６４に臨む第１ケース６２の端部（上面５００６）は、本体側ケース５０の幅方向の一方に位置する側部（左側面５０１０）の外側に位置し、第２ケース６４に臨む第１ケース６２の端部を除く第１ケース６２の残りの部分は本体側ケース５０上に位置している。
【００３０】
次に本実施例における携帯電話機２００の使用方法について説明する。
まず、携帯電話機２００によって通話を行う場合について説明する。
図１３（Ａ）に示すように、予め、モニタ側ケース６０が非使用位置（イ）に位置しているものとする。
ユーザーは、本体側ケース５０を一方の手で保持し、モニタ側ケース６０を他方の手で保持し、図１３（Ｂ）に示すように、モニタ側ケース６０を非使用位置（イ）から使用位置（ロ）まで回動させる。
そして、本体側ケース５０の内面５００４をユーザーに向けた状態で本体側ケース５０の下半部を一方の手で把持し、モニタ側ケース６０の第２ケース６４を回動させ表示面１２６Ａをユーザーの方に向ける。
この状態で、表示面１２６Ａを視認しつつ、キー入力部２０８を操作して相手先の電話番号を入力する。あるいは、キー入力部２０８を操作して着信状態にする。
そして、スピーカー２０４Ａを耳に当て、マイク２０２Ａを口元に近づけて通話を行う。
【００３１】
次に、携帯電話機２００を用いて撮影を行う場合について説明する。
図１３（Ａ）に示すように、予め、モニタ側ケース６０が非使用位置（イ）に位置しているものとする。
ユーザーは、本体側ケース５０を一方の手で保持し、モニタ側ケース６０を他方の手で保持し、図１３（Ｂ）に示すように、モニタ側ケース６０を非使用位置（イ）から使用位置（ロ）まで回動させる。
そして、本体側ケース５０の内面５００４をユーザーに向けた状態で本体側ケース５０の下半部を一方の手で把持し、モニタ側ケース６０の第２ケース６４を回動させ表示面１２６Ａをユーザーの方に向ける。
この状態で、撮影光学系１４を被写体に向け、表示面１２６Ａに表示される被写体像を視認しつつ前記シャッターボタンあるいは撮影開始／停止ボタンを操作して撮影を行う。
この際、ユーザーは、第２ケース６４を第２の支軸Ｘ２回りに回動させることで表示面１２６Ａを所望の方向に向けることができる。したがって、携帯電話機２００をユーザーの頭部よりも高い位置に保持したハイアングルでの撮影時には表示面１２６Ａを斜め下方に向けることで表示面１２６Ａを容易に視認することができ、携帯電話機２００をユーザーの頭部よりも低い位置に保持したローアングルでの撮影時には、表示面１２６Ａを斜め上方に向けることで表示面１２６Ａを容易に視認することができる。
また、第２ケース６４を第２の支軸Ｘ２回りに回動させることで表示面１２６Ａを撮影光学系１４と同一の方向（前方）に向ければ、ユーザーが表示面１２６Ａに表示される自分自身を視認しつつ撮影する、いわゆる自分撮りを行うことができる。
また、前記シャッターボタンあるいは撮影開始／停止ボタンが本体側ケース５０の左側面５０１０あるいは右側面５０１２あるいは上面５００６に設けられている場合には、第２ケース６４を回動させ表示面１２６Ａを本体側ケース５０の内面５００４と反対側に向けた状態でモニタ側ケース６０を非使用位置（イ）に位置させ、表示面１２６Ａに画像を表示させつつ、前記シャッターボタンあるいは撮影開始／停止ボタンを操作して撮影することができる。
【００３２】
次に、表示面１２６Ａに画像を表示させる場合について説明する。
この場合には、上述したようにモニタ側ケース６０を使用位置（ロ）に位置させた状態で表示面１２６Ａに画像を表示させてもよいし、第２ケース６４を回動させ表示面１２６Ａを本体側ケース５０の内面５００４と反対側に向けた状態でモニタ側ケース６０を非使用位置（イ）に位置させた状態で表示面１２６Ａに画像を表示させてもよい。
次に、携帯電話機２００を使用位置（ロ）から非使用位置（イ）にする場合について説明する。
ユーザーは、本体側ケース５０を一方の手で保持し、モニタ側ケース６０の第２ケース６４を他方の手で回動させ表示面１２６Ａを本体側ケース５０の内面５００４に臨ませる。
そして、モニタ側ケース６０を他方の手で非使用位置（イ）から使用位置（ロ）まで回動させる。これにより、本体側ケース５０とモニタ側ケース６０はそれらの輪郭が合致し携帯あるいは収納に適したコンパクトな状態となる。
【００３３】
次に実施例２の携帯電話機２００の作用効果について説明する。
実施例２では、モニタ側ケース６０を使用位置（ロ）に位置させた状態で、第２ケース６４が本体側ケース５０の幅方向の一方に位置する側部（左側面５０１０）の外側に位置するように、第１の支軸Ｘ１が本体側ケース５０の幅方向の中心から幅方向の一方に位置する側部（左側面５０１０）寄りに変位した箇所に位置しているので、第１の支軸Ｘ１を本体側ケース５０の幅方向の中心に設けた場合に比べて、第２ケース６４の長さ方向の寸法を大きく設定することができる。
このため、表示パネル１２６の前記第２ケース６４の長さ方向の寸法を大きく確保でき、本体側ケース５０およびモニタ側ケース６０の小型化を図りつつ表示パネル１２６の表示面１２６Ａの占有スペースを確保する上で有利となる。
また、実施例２では、非使用位置（イ）でモニタ側ケース６０が本体側ケース５０の輪郭と重なるように構成されているので、非使用位置（イ）において本体側ケース５０とモニタ側ケース６０が占有するスペースを小型化する上で有利であり、また、美観を向上させる上でも有利である。
また、実施例２では、第１の支軸Ｘ１は、本体側ケース５０およびモニタ側ケース６０の長さ方向の一方の端部寄りの箇所に位置し、使用位置（ロ）でモニタ側ケース６０の幅方向の一方に位置する側部（左側面６２１０）と本体側ケース５０の長さ方向の一方に位置する端部（上面５００６）とが、前後方向から見てそれらの輪郭が重なるように構成されているので、使用位置（ロ）においても本体側ケース５０とモニタ側ケース６０が占有するスペースを小型化する上で有利であり、また、美観を向上させる上でも有利である。
また、実施例２では、図１３に示すように、非使用位置（イ）において第２ケース６４が合わされる本体側ケース５０の内面５００４箇所で、使用位置（ロ）において露出し、この露出する箇所に、操作部材が設けられているので、モニタ側ケース６０を非使用位置（イ）に位置させた状態でこれらの操作部材がモニタ側ケース６０により覆われることで誤操作が確実に防止される。
また、実施例２では、図１３に示すように、非使用位置（イ）において第１ケース６２の幅方向の一方の側部が合わされた本体側ケース５０の内面５００４の箇所で使用位置（イ）で露出する本体側ケース５０の内面５００４の上部右寄り箇所にデッドスペースが生じるが、このようなデッドスペースにリセットスイッチ１２０などの操作部材を設けることでデッドスペースを有効利用でき、ひいては携帯電話機２００の小型化を図る上で有利となる。
【００３４】
なお、実施例２では、モニタ側ケース６０を非使用位置（イ）から使用位置（ロ）まで（あるいは使用位置（ロ）から非使用位置（イ）まで）回動するためには、モニタ側ケース６０の回動範囲全体にわたってモニタ側ケース６０を手で揺動させる必要がある。
しかしながら、モニタ側ケース６０を所定角度（例えば１０度）回動すると、自動的にモニタ側ケース６０が残りの角度（例えば８０度）を回動するように、本体側ケース５０とモニタ側ケース６０との間に従来公知のトグルばねなどを含む様々な機構を設けてもよく、この場合にはモニタ側ケース６０の回動操作を容易に行う上で有利となる。
また、実施例２では、撮像装置として静止画および動画の双方を撮影可能なものを例示したが、静止画および動画のいずれか一方を撮影するものであっても本発明は無論適用可能である。
【図面の簡単な説明】
【００３５】
【図１】実施例１の撮像装置の構成を示す図である。
【図２】実施例１の撮像装置の構成を示す図である。
【図３】実施例１の撮像装置を斜め前方から見た斜視図である。
【図４】実施例１の撮像装置を斜め前方から見た斜視図である。
【図５】図３を正面から見た正面図である。
【図６】図３を背面から見た背面図である。
【図７】図３を斜め後方から見た斜視図である。
【図８】図３を斜め後方から見た斜視図である。
【図９】モニタ側ケースを回動した状態を示す説明図である。
【図１０】本体側ケース用の第１、第２縁部材の説明図である。
【図１１】モニタ側ケースの斜視図である。
【図１２】撮像装置の制御系を示すブロック図である。
【図１３】携帯電話機の構成を示す図である。
【図１４】携帯電話機の制御系を示すブロック図である。
【符号の説明】
【００３６】
１２……レンズ鏡筒１０６Ａ……表示面、５０……本体側ケース、５００２……外面、５００４……内面、５０１０……左側面、６０……モニタ側ケース、６２……第１ケース、６２０２……内面、６２０４……外面、６４……第２ケース、６４０２……内面、６４０４……外面、１００……撮像装置、２００……携帯電話機、Ｘ１……第１の支軸、Ｘ２……第２の支軸。
【図１】
2006041602.tif 000003
【図２】
2006041602.tif 000004
【図３】
2006041602.tif 000005
【図４】
2006041602.tif 000006
【図５】
2006041602.tif 000007
【図６】
2006041602.tif 000008
【図７】
2006041602.tif 000009
【図８】
2006041602.tif 000010
【図９】
2006041602.tif 000011
【図１０】
2006041602.tif 000012
【図１１】
2006041602.tif 000013
【図１２】
2006041602.tif 000014
【図１３】
2006041602.tif 000015
【図１４】
2006041602.tif 000016